(57)【要約】【課題】設計図面などをセンサー付ペンによって修正し、この修正線データをＣＡＤデータとして転送し、現場における元図面との照合を行う。【解決手段】図面を載置する図板１に画像読取装置のスキャナ２または赤外線センサー２ａを周縁に配置し、この図板１の紙面サイズの位置決めマーク４に合せて修正する紙図面３を張り合わせ、センサー付ペン５によって紙図面３の修正を朱書きで行い、このセンサー付ペンの移動位置を前記スキャナ又は赤外線センサー２ａで検知し、この朱書きの線データのみを制御してコンピュータ６に取り込み記憶し、この取り込み線データを転送して、送信先において元の紙図面データと修正部分のみの図面データとを重ね合せ、修正箇所をチェックする構成である。【選択図】        図１
2004342065.tif 000002
【特許請求の範囲】
【請求項１】
図板上の線画または／及び画像が読み取ることができるスキャナまたは線描画を描くペンの位置を検出する位置検出手段を備え、前記ペンを移動させながら線描画して図板上を走査し、この走査軌跡を検出した前記位置検出手段によって新たに描かれた線描画のデータをコンピュータに送信し、この送信された書き込みデータを受信したコンピュータにおいて取り込み記憶し、この書き込みデータを転送可能として、転送先において書き込み内容と元線描画とを対比して瞬時にチェックができる機構を備えたことを特徴とする設計・デザイン図等の線描画照合システム。
【請求項２】
原図面を載置する図板と、
この図板に配置した受信部と、
図板上で、設計図・デザイン図の元図上に修正線描きを行う発信器または反射盤を備えたセンサー付ペンと、
該センサー付ペンの移動軌跡の座標位置を検出するスキャナまたは検出器を備え、受信した線描画情報を送信する位置検出手段と、
この位置検出手段で読み取った書き込みデータを受信し、ディスプレーに表示し、この書き込みデータを記憶するコンピュータと、
からなり、図板上に描かれた修正線描画の前記センサー付ペンによる書き込みデータを前記コンピュータから遠隔地に転送し、転送先において送信された線描画と元図面の線描画とを照合することができることを特徴とする設計・デザイン図等の線描画照合システム。
【請求項３】
発信器または反射盤を備え、前記図板上を移動するセンサー付ペンの前記図板周縁に設置する複数の位置検出手段が赤外線センサーであって、照射した赤外線を前記センサー付ペンに設けた反射盤により反射された赤外線を受信して三角測量による座標入力で、線描画をコンピュータに書き込むことを特徴とする請求項１または請求項２に記載の設計・デザイン図等の線描画照合システム。
【請求項４】
図板上に原図面が建築設計図面であり、建築現場と施工業者との間の相互通信を行い、遠隔地における図面の修正が瞬時に確認できることを特徴とする請求項１乃至請求項３に記載のいずれか１つの設計・デザイン図等の線描画照合システム。
【発明の詳細な説明】
【０００１】
【発明の属する技術分野】
この発明は、建築施工の設計図、服飾デザイン、動画などに利用されている線描画の図面の修正線描図面を遠隔地に送信する設計・デザイン図等の線描画照合システムに関する。
【０００２】
【従来の技術】
今までは図４に示されるように、設計図面の修正チェック作業は、元の紙図面上に朱書きで修正して、この修正紙図面の現物を現場に持参するか、会議場持参して、オーバーヘッド投影気等を使用して検討することが行われていた。このように紙図面の修正について１枚のみならさして問題とならないが、建築施工のような場合は大量枚数の図面について大量の修正図面を搬送することは大変な作業であった。特にＣＡＤを使用した建築設計図やソフトウエアロジック図など、表示装置に呼び出した紙図面として印刷し、その紙図面上に朱書きによる補正がされて、その紙図面を郵送していた。このように大量の紙図面を必要とし、紙資源無駄であり、郵送費も嵩む結果となっていた。また、建築施工現場が外国の場合は郵送に時間と費用がかかっていた。
このような紙図面を表示装置に映し出してから修正をして画像修正について画面上で行うことが行われているが、これも確実な修正方法ではなかった。
【０００３】
建築設計図面のシステムとして紙の無駄を省く目的で、作業性を向上する方法が提案されている。これは記憶装置を備えた図面作成手段、建物の積算作業を支援する積算手段を備えたＣＡＤシステムにおいて、同一コンピュータ内において作図データを交換するシステムが知られている（特許文献１）。
また、予め登録、記憶された複数種類の図面要素の内から所望の機能を表す複数の図形要素を選択して図面の中から選び特定の図面要素を変更して上書きするなどの修正方法が知られている（特許文献２）。
電子ボードの表示板の両側縁部に所定間隔を設けて２個の赤外線走査ビームを配置し、この赤外線走査ビームを交互に発生させて電子ボード上を移動するフェルト製の光拡散部を備え、受光面を備える入力ペンの移動軌跡を信号制御部に入力してコンピュータへ送信する作図方法が知られている。
その他、電気泳動方式表示板を使用し、ペン位置検出手段によりペンで手書きした線を黒板に表示し、書き込み、書き換えを行うことができる電子黒板が知られている（特許文献３）。
【０００４】
【特許文献１】特開平１１−１４０９６３号公報
【特許文献２】特開平１０−６３７０５号公報
【特許文献３】特開２０００−２８４８９５号公報
【特許文献４】特開２００２−２４０４９１号公報
【０００５】
特許文献３に記載される発明は、特殊な電子ボードを用意し、赤外線走査ビームを基準センサーや信号制御部を必要とし、構成が複雑である。この特許文献３には、座標入力ペンとしてマーカ等の筆記具を内蔵し、光検出用のフォトダイオードを有するものが記載されている。
特許文献４に記載される発明は、特殊な表示板、すなわち、電気泳動方式表示板を使用して、ペンによる手書きと同時に黒板上に線画を表示するもので、表示メモリ作用を有する黒板を使用するため、一般の設計図面などの紙面に線描きするものではない。
【０００６】
【発明が解決しようとする課題】
本発明は特許文献１乃至特許文献４に記載されるような面倒は手順を経ることなく、簡易な方法によって修正図面チェックができる設計・デザイン図等の線描画照合システムを提供するものである。
本発明は、簡易な、廉価な図面などの線描きができる設計・デザイン図等の線描画照合システムを提供するものである。
本発明の課題は、図板などに描かれた図面を紙図面と重ね合わせて、修正部分のみを伝送して転送先で元図面の照合が簡易にできる設計・デザイン図等の線描画照合システムを提供することである。
現場と施工設計場所との図面の交換転送に際して任意に修正できるシステムを構築する設計・デザイン図等の線描画照合システムを提供するものである。
本発明の課題は、修正図面について発信器または赤外線反射盤を備えたセンサー付ペンによる線描画を受信してコンピュータに記憶する設計・デザイン図等の線描画照合システムを提供することである。
【０００７】
【課題を解決するための手段】
この発明の前記課題は、図板上の線画または／及び画像が読み取ることができるスキャナまたは線描画を描くペンの位置を検出する位置検出手段を備え、前記ペンを移動させながら線描画して図板上を走査し、この走査軌跡を検出した前記位置検出手段によって新たに描かれた線描画のデータをコンピュータに送信し、この送信された書き込みデータを受信したコンピュータにおいて取り込み記憶し、この書き込みデータを転送可能として、転送先において書き込み内容と元線描画とを対比して瞬時にチェックができる機構を備えた設計・デザイン図等の線描画照合システムによって達成できる。
【０００８】
また、この発明の前記課題は、原図面を載置する図板と、この図板に配置した受信部と、図板上で、設計図・デザイン図の元図上に修正線描きを行う発信器または反射盤を備えたセンサー付ペンと、該センサー付ペンの移動軌跡の座標位置を検出するスキャナまたは検出器を備え、受信した線描画情報を送信する位置検出手段と、この位置検出手段で読み取った書き込みデータを受信し、ディスプレーに表示し、この書き込みデータを記憶するコンピュータと、からなり、図板上に描かれた修正線描画の前記センサー付ペンによる書き込みデータを前記コンピュータから遠隔地に転送し、転送先において送信された線描画と元図面の線描画とを照合する設計・デザイン図等の線描画照合システムによって達成できる。
【０００９】
更に、前記課題は、発信器または反射盤を備え、前記図板上を移動するセンサー付ペンの前記図板周縁に設置する複数の位置検出手段が赤外線センサーであって、照射した赤外線を前記センサー付ペンに設けた反射盤により反射された赤外線を受信して三角測量による座標入力で、線描画をコンピュータに書き込む設計・デザイン図等の線描画照合システムによって達成できる。
【００１０】
この発明の前記課題は、図板上に原図面が建築設計図面であり、建築現場と施工業者との間の相互通信を行い、遠隔地における図面の修正が瞬時に確認できる設計・デザイン図等の線描画照合システムによって達成できる。
【００１１】
本発明の設計・デザイン図等の線描画照合システムは、電子ビームにより読み取り可能なホワイトボードを使用していて、このホワイトボード面に原紙図面を載置し、設計図面の修正をセンサー付ペンにより朱書き補正をして、この修正図面の朱書き部分のみを位置検出手段で読み取り、この修正箇所の線図データをコンピュータに送信して取り込み、このコンピュータから建築などの作業現場の遠隔地に転送するから従来のように沢山の紙図面を郵送する必要がないので瞬時に修正が可能である。
【００１２】
本発明の設計・デザイン図等の線描画照合システムは、図面を貼り付ける図板ボードとセンサー付ペンとを利用するから簡易に修正画面の線画の軌跡を位置検出手段で読み取りコンピュータに取り込むことができる。特に、センサー付ペンとして、位置検出手段から照射される赤外線を反射するペン先端周面に赤外線反射盤を配置することにより、図板の周縁に配置した赤外線レーザを発する赤外線センサーによりセンサー付ペンの反射盤からの光線を受信して位置を検知して線描画の軌跡線データをこの位置検出手段から連続的にコンピュータに送信し、ディスプレーに表示すると共にコンピュータに制御記憶することができる。更に、この時三角座標測定の技術を採用することによりペン先の位置検出が正確で、線描画をコンピュータにデータを取り込み可能である。
【００１３】
本発明の設計・デザイン図等の線描画照合システムは、修正した箇所のみをコンピュータに取り込み、送信することができるので施工現場や会議場において元の紙図面と重ねて修正箇所のチェックが確実に確認することができる。
【００１４】
また、本発明設計・デザイン図等の線描画照合システムによれば、動画の制作や、服飾デザインの図面などにおいて、修正部分が、短時間に元図面との照合ができ、修正確認が容易である。
しかも、本発明によれば、図板の周縁部分に照射された光線を受ける障壁などを設けることなく、ペン先の移動軌跡を正確に把握できる。その上、位置検出手段である赤外線センサーの取り付け位置が図板面とほぼ同一面に配置してあるから反射盤を備えたペン先を図板から離すと、送信が途絶えるので連続的な線画を描くことがない。
【００１５】
【発明の実施の形態】
本発明の設計・デザイン図等の線描画照合システムについて図面に示す実施形態に基づいて説明する。
図１は本発明の設計・デザイン図等の線描画照合システムの概念図である。図２は本発明の設計・デザイン図等の線描画照合システムの流れ図である。図３は本発明他の実施形態の説明図である。図４は従来の修正図面の処理方法の説明図である。
【００１６】
本発明の設計・デザイン図等の線描画照合システムは、図板１を用意し、設計図等が描かれた紙図面３を図板１の周縁に配置した位置検出手段であるスキャナ２を備えた図板１の図面貼付位置定規である位置決めマーク４に合せて載置する。このスキャナ２としては受信器を内蔵して線画データをコンピュータに送信できるものである。例えば、インターリンク社のｅＢｅｅｍ（登録商標）方式などがある。
【００１７】
このスキャナ２に変えて図板１の両隅部に近赤外線レーザを走査照射し、ペンの反射盤からの反射光を受信する位置検出手段として赤外線センサー２ａ、２ａを配置する。この赤外線センサー２ａ、２ａの取付位置は、図板の平面とほぼ同一面になる位置に設置する。この赤外線センサー２ａによってペン５の軌跡の位置検出が三角測量により正確に把握されて，この赤外線センサー２ａからの送信信号を受信したコンピュータ６のディスプレー上に線描画を描くことができる。このペン５として色書き可能なペンを使用すると朱書の修正画像を表示することができる。朱書きによって修正された図面はスキャナ２によってこの線データのみが読み込まれコンピュータ６に取り込まれ記憶される。
【００１８】
また、このペン５として赤外線を反射する反射盤７を張付けることにより、図板上に配置した２個の赤外線センサー２ａ、２ａの受信位置によりペン先との三角座標測定によりペンの位置を検出して線データをコンピュータ６に送信することができる（図３参照）。このときペンの位置を図板から離隔すると送信が途絶えるようになっている。従って、赤外線通信のオン・オフの切換走査が必要ない。
この赤外線センサー２ａからコンピュータに読み込まれた線データは記憶されるとともに、遠隔地に離れた施工現場、会議場に送信され、それぞれの現場において送信された修正線データと元図面（設計図・デザイン図）と重ね合わせて修正箇所の図面のチェックを行い確認する。
【００１９】
本発明の設計・デザイン図等の線描画照合システムに使用する図板は通常にホワイトボードに限定されることはなく、材質は何であってもよい。昨今使用されている帯電付着シートを使用しても良い。
センサー付ペンは数種類の色ペンであってもよく、太さは種々用意しておくと便利である。しかもイレーザを使用して消しながら、再入力も可能である。
本発明に使用するインターリンク社のｅＢｅａｍ（登録商標）センサーによるスキャナで読み取るデータ形式はいずれでもよい。例えば、Ｔｉｆｆ形式、ＣＡＤ形式など特定なものにこだわらない。本発明の実施例では一般的なＣＡＤ形式によって行った。
【００２０】
読み取りコンピュータ６に取り込んだ線描画データについて縮尺をＣＡＤファイル形式に自動調節することもできる。（例えば、読み込んだ線データを原寸入力のために、モデル空間上にスケールを合せるために、元の紙図面し上でＳ＝１／５０で書き入れてある場合は図面を修正して５０倍にする必要がある。）
【００２１】
出力データの確認を行ってから、現場において出力した線データをサイド貼り付けてから再度確認する。
本発明の設計・デザイン図等の線描画照合システムは、建築設計図に限らず、従来の図面台に紙材を載置して、線描画する際にコンピュータに作図データを取り込むことができ、該データを遠隔地に容易に転送することが可能であるから、建築施工図に限らず、服飾業界のデザイン図、アニメーションなどの原図の修正など種々の産業に利用できる。
【００２２】
【発明の効果】
本発明の設計・デザイン図等の線描画照合システムは、従来のように修正図面を紙出力による照合をすることなく、遠方にいる施工現場、会議場において、瞬時に修正線データを取り込み、元紙図面との照合が簡易にでき、修正の確認が容易である。従って、大量の紙を使用する必要がないばかりでなく、修正線データのみ送信することができるので図面のチェックが簡易にできる。特に、赤外線センサーにより細いペンの位置検出することにより修正線画を鮮明に描くことができ、しかも、反射盤のみペン先に取り付けるのみで検出が可能である。
【図面の簡単な説明】
【図１】本発明の設計・デザイン図等の線描画照合システムの概念図である。
【図２】本発明の設計・デザイン図等の線描画照合システムの流れ図である。
【図３】本発明の他の実施形態の説明図である。
【図４】従来の修正図面の処理方法の説明図である。
【符号の説明】
１      図板
２      スキャナ
２ａ    赤外線センサー
３      紙図面
４      位置決めマーク
５      ペン
６      コンピュータ
７      反射盤
【図１】
2004342065.tif 000003
【図２】
2004342065.tif 000004
【図３】
2004342065.tif 000005
【図４】
2004342065.tif 000006